【事件の表示】
　特願２００６−３００５８９「トップラインインサートを備えるゴルフクラブヘッド」拒絶査定不服審判事件〔平成１９年　５月２４日出願公開、特開２００７−１２５３９９〕について、次のとおり審決する。
【結　論】
　本件審判の請求は、成り立たない。
【理　由】
第１　手続の経緯  
　本願は、平成１８年１１月６日の出願（パリ優先権主張：２００５年１１月４日　米国）であって、平成２０年１１月２１日付け拒絶理由通知に対して、平成２１年６月１日付けで手続補正がなされたが、同年６月２４日付で拒絶査定がなされ、これに対し、同年１０月２９日に拒絶査定不服審判が請求されると同時に手続補正がなされたものである。
　その後、当審において、平成２２年２月１５日付けで審査官により作成された前置報告書について、平成２２年７月２７日付けで審尋を行ったところ、同年１０月２７日付けで回答書が提出されたものである。  
　  
第２　平成２１年１０月２９日付け手続補正についての補正却下の決定  
［補正却下の決定の結論］  
　平成２１年１０月２９日付け手続補正（以下「本件補正」という。）を却下する。  
　　  
［理　由］  
１　補正内容  
（１）本件補正は、特許請求の範囲についてするものであり、 
　本件補正前（平成２１年６月１日付け手続補正後のもの）に、  
「【請求項１】
　ゴルフクラブヘッドであって、
　第１の材料で形成され、フロントフェースと、ソールと、バックと、ヒールと、トウと、トップとを備える本体と、
　前記トップに設けられた、前記本体から遠ざかるように延びる凸部と、
　前記凸部に連結された、第２の材料で形成されたインサートとを有し、
　前記第２の材料が、前記フロントフェースの一部を形成し、
　前記第１の材料が第１の密度を有し、前記第２の材料が第２の密度を有し、前記第１の密度が前記第２の密度より大きい、
　ゴルフクラブヘッド。
　【請求項２】
　前記凸部が、前記クラブヘッドのトップラインに位置する、請求項１に記載のゴルフクラブヘッド。
　【請求項３】
　前記第１の密度が前記第２の密度より少なくとも３ｇ／ｃｍ３だけ大きい、請求項１に記載のゴルフクラブヘッド。
　【請求項４】
　前記第２の密度が０．５ｇ／ｃｍ３から５ｇ／ｃｍ３までである、請求項１に記載のゴルフクラブヘッド。
　【請求項５】
　前記第２の材料が制振材料である、請求項１に記載のゴルフクラブヘッド。
　【請求項６】
　前記制振材料が、熱可塑性材料又は熱硬化性材料である、請求項５に記載のゴルフクラブヘッド。
　【請求項７】
　前記制振材料が、ゴム、ウレタン、ポリウレタン、ブタジエン、ポリブタジエン、及びシリコンのうちの１つ又は２つ以上を含む、請求項６に記載のゴルフクラブヘッド。
　【請求項８】
　前記第１の材料が、前記トップラインにおいて前記フェースの最も上の部分に延びる、請求項１に記載のゴルフクラブヘッド。
　【請求項９】
　前記クラブヘッドが重心を有し、
　前記クラブヘッドは、前記第２の材料を前記第１の材料に置き換えた、ほぼ同様のゴルフクラブヘッドと比較して、前記重心を通る垂直軸を中心に測定された慣性モーメントが少なくとも２０ｇｍ・インチ2増大する、
　請求項１に記載のゴルフクラブヘッド。
　【請求項１０】
　前記本体が第１の体積を有し、
　前記インサートが第２の体積を有し、
　前記第２の体積が前記第１の体積の０．５％から１０％である、請求項１に記載のゴルフクラブヘッド。
　【請求項１１】
　ゴルフクラブヘッドであって、
　第１の材料で形成され、フロントフェースと、ソールと、バックと、ヒールと、トウと、トップとを備える本体を有し、前記トップに設けられ前記本体から遠ざかるように延びる凸部をさらに有し、
　ナイロンを有する第２の材料で形成され、前記凸部で前記本体に連結されたインサートを有し、
　前記第２の材料が、前記フロントフェースの一部を形成し、
　前記第１の材料が第１の密度を有し、前記第２の材料が第２の密度を有し、前記第１の密度が前記第２の密度より大きい、
　ゴルフクラブヘッド。
　【請求項１２】
　前記クラブヘッドが、前記インサート及び前記本体の一部によって形成されたトップラインを備える、請求項１１に記載のゴルフクラブヘッド。
　【請求項１３】
　前記インサートが、強化ナイロンで形成され、１５ｋｐｓｉから２０ｋｐｓｉの引張強度、６５０ｋｐｓｉから７５０ｋｐｓｉの曲げ率、３ｆｔ・ｌｂ／インチから４ｆｔ・ｌｂ／インチのノッチ衝撃強さ、及び、相対湿度５０％で７３°Ｆのとき１．２５から２の比重を有する、請求項１１に記載のゴルフクラブヘッド。
　【請求項１４】
　前記引張強度が１７．５ｋｐｓｉであり、前記曲げ率が６００ｋｐｓｉであり、前記ノッチ衝撃強さが３．５ｆｔ・ｌｂ／インチであり、前記比重が１．４である、請求項１３に記載のゴルフクラブヘッド。
　【請求項１５】
　前記ソールが、前記ヒールと前記トゥとの間で凹部を構成する上面を備え、前記凹部内に位置決めされた第２のインサートをさらに備え、前記第２のインサートは粘弾性材料で形成され、
　前記第２のインサートは第２の凹部を構成する表面を有し、前記第２の凹部内の前記第２のインサートに連結されたウエイト部材をさらに備える、
請求項１１に記載のゴルフクラブヘッド。
　【請求項１６】
　前記フロントフェースとは反対側の前記バックに連結された第３のインサートを備え、該第３のインサートが粘弾性材料で形成された、請求項１５に記載のゴルフクラブヘッド。
　【請求項１７】
　前記フロントフェースとは反対側の前記バックに連結された第２のインサートを備え、該第２のインサートが粘弾性材料で形成された、請求項１１に記載のゴルフクラブヘッド。
　【請求項１８】
　自由層制振システムと制約層制振システムとの両方を備える、請求項１１に記載のゴルフクラブヘッド。
　【請求項１９】
　前記自由層制振システムが、前記フロントフェースと反対側の前記バックに連結された第２のインサートを備え、
　前記制約層制振システムが、前記ソールの上面に連結された第３のインサートと、該第３のインサートの上面に連結されたウエイト部材とを備える、
　請求項１８に記載のゴルフクラブヘッド。
　【請求項２０】
　前記第１の密度が前記第２の密度より少なくとも３ｇ／ｃｍ３大きい、請求項１１に記載のゴルフクラブヘッド。
　【請求項２１】
　前記第２の密度が０．５ｇ／ｃｍ３から５ｇ／ｃｍ３である、請求項２０に記載のゴルフクラブヘッド。
　【請求項２２】
　前記第２の材料が、２５％から５０％のガラス強化材を有する、請求項１１に記載のゴルフクラブヘッド。」とあったものを、  
　　　　    　　　
「【請求項１】
　ゴルフクラブヘッドであって、
　第１の材料で形成され、フロントフェースと、ソールと、バックと、ヒールと、トウと、トップとを備える本体と、
　前記トップに設けられた、前記本体から遠ざかるように延びる凸部と、を有し、
　
前記凸部は前記クラブヘッドのトップラインの中央に配置されており
　前記凸部に連結された、第２の材料で形成されたインサートとを有し、
　前記第２の材料が、前記フロントフェースの一部を形成し、前記第２の材料が制振材料であり、
　前記第１の材料が第１の密度を有し、前記第２の材料が第２の密度を有し、前記第１の密度が前記第２の密度より大きい、
　ゴルフクラブヘッド。
　【請求項２】
　前記凸部が、前記クラブヘッドのトップラインに位置する、請求項１に記載のゴルフクラブヘッド。
　【請求項３】
　前記第１の密度が前記第２の密度より少なくとも３ｇ／ｃｍ３だけ大きい、請求項１に記載のゴルフクラブヘッド。
　【請求項４】
　前記第２の密度が０．５ｇ／ｃｍ３から５ｇ／ｃｍ３までである、請求項１に記載のゴルフクラブヘッド。
　【請求項５】
　前記制振材料が、熱可塑性材料又は熱硬化性材料である、請求項１に記載のゴルフクラブヘッド。
　【請求項６】
　前記制振材料が、ゴム、ウレタン、ポリウレタン、ブタジエン、ポリブタジエン、及びシリコンのうちの１つ又は２つ以上を含む、
　請求項５に記載のゴルフクラブヘッド。
　【請求項７】
　前記第１の材料が、前記トップラインにおいて前記フェースの最も上の部分に延びる、請求項１に記載のゴルフクラブヘッド。
　【請求項８】
　前記クラブヘッドが重心を有し、
　前記クラブヘッドは、前記第２の材料を前記第１の材料に置き換えた、ほぼ同様のゴルフクラブヘッドと比較して、前記重心を通る垂直軸を中心に測定された慣性モーメントが少なくとも２０ｇｍ・インチ2増大する、
　請求項１に記載のゴルフクラブヘッド。
　【請求項９】
　前記本体が第１の体積を有し、
　前記インサートが第２の体積を有し、
　前記第２の体積が前記第１の体積の０．５％から１０％である、
　請求項１に記載のゴルフクラブヘッド。
　【請求項１０】
　ゴルフクラブヘッドであって、
　第１の材料で形成され、フロントフェースと、ソールと、バックと、ヒールと、トウと、トップとを備える本体を有し、前記トップに設けられ前記本体から遠ざかるように延びる凸部をさらに有し、前記凸部は前記クラブヘッドのトップラインの中央に配置されており、
　ナイロンを有する第２の材料で形成され、前記凸部で前記本体に連結されたインサートを有し、
　前記第２の材料が、前記フロントフェースの一部を形成し、
　前記第１の材料が第１の密度を有し、前記第２の材料が第２の密度を有し、前記第１の密度が前記第２の密度より大きい、
　ゴルフクラブヘッド。
　【請求項１１】
　前記クラブヘッドが、前記インサート及び前記
本体の一部である凸部によって
　【請求項１２】
　前記インサートが、強化ナイロンで形成され、１５ｋｐｓｉから２０ｋｐｓｉの引張強度、６５０ｋｐｓｉから７５０ｋｐｓｉの曲げ率、３ｆｔ・ｌｂ／インチから４ｆｔ・ｌｂ／インチのノッチ衝撃強さ、及び、相対湿度５０％で７３°Ｆのとき１．２５から２の比重を有する、請求項１０に記載のゴルフクラブヘッド。
　【請求項１３】
　前記引張強度が１７．５ｋｐｓｉであり、前記曲げ率が６００ｋｐｓｉであり、前記ノッチ衝撃強さが３．５ｆｔ・ｌｂ／インチであり、前記比重が１．４である、請求項１２に記載のゴルフクラブヘッド。
　【請求項１４】
　前記ソールが、前記ヒールと前記トゥとの間で凹部を構成する上面を備え、
　前記凹部内に位置決めされた第２のインサートをさらに備え、前記第２のインサートは粘弾性材料で形成され、
　前記第２のインサートは第２の凹部を構成する表面を有し、前記第２の凹部内の前記第２のインサートに連結されたウエイト部材をさらに備える、
　請求項１０に記載のゴルフクラブヘッド。
　【請求項１５】
　前記フロントフェースとは反対側の前記バックに連結された第３のインサートを備え、該第３のインサートが粘弾性材料で形成された、請求項１４に記載のゴルフクラブヘッド。
　【請求項１６】
　前記フロントフェースとは反対側の前記バックに連結された第２のインサートを備え、該第２のインサートが粘弾性材料で形成された、請求項１０に記載のゴルフクラブヘッド。
　【請求項１７】
　自由層制振システムと制約層制振システムとの両方を備える、請求項１０に記載のゴルフクラブヘッド。
　【請求項１８】
　前記自由層制振システムが、前記フロントフェースと反対側の前記バックに連結された第２のインサートを備え、
　前記制約層制振システムが、前記ソールの上面に連結された第３のインサートと、該第３のインサートの上面に連結されたウエイト部材とを備える、
　請求項１７に記載のゴルフクラブヘッド。
　【請求項１９】
　前記第１の密度が前記第２の密度より少なくとも３ｇ／ｃｍ３大きい、請求項１０に記載のゴルフクラブヘッド。
　【請求項２０】
　前記第２の密度が０．５ｇ／ｃｍ３から５ｇ／ｃｍ３である、請求項１９に記載のゴルフクラブヘッド。
　【請求項２１】
　前記第２の材料が、２５％から５０％のガラス強化材を有する、請求項１０に記載のゴルフクラブヘッド。」と補正するものである（下線は審決で付した。以下同じ。）。  
　　　　　　　 　                           　
（２）本件補正後の請求項１に係る発明の上記（１）の補正内容は、次の内容からなる。 
　
　本件補正前の請求項１を引用する請求項５の「前記トップに設けられた、前記本体から遠ざかるように延びる凸部と、前記凸部に連結された、第２の材料で形成されたインサートとを有し、」を「前記トップに設けられた、前記本体から遠ざかるように延びる凸部と、を有し、
前記凸部は前記クラブヘッドのトップラインの中央に配置されており
　  　
２　補正目的  
（１）上記１（２）の補正内容は、凸部の位置を特定するものであることから「特許請求の範囲の減縮」を目的とするものであると認められる。  
（２）よって、本件補正後の請求項１に係る発明についての補正は、平成１８年法律第５５号改正附則第３条第１項によりなお従前の例によるとされる同法による改正前の特許法第１７条の２第４項第２号に掲げる「特許請求の範囲の減縮」目的とするものであると認め得るものであることから、本件補正後の請求項１に係る発明（以下「本件補正発明」という。）について、これが特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かを、以下に検討する。  
　  
３　独立特許要件  
（１）本件補正発明  
　本件補正発明を再掲すると、以下のとおりのものである。  
「【請求項１】
　ゴルフクラブヘッドであって、
　第１の材料で形成され、フロントフェースと、ソールと、バックと、ヒールと、トウと、トップとを備える本体と、
　前記トップに設けられた、前記本体から遠ざかるように延びる凸部と、を有し、
　
前記凸部は前記クラブヘッドのトップラインの中央に配置されており
　前記凸部に連結された、第２の材料で形成されたインサートとを有し、
　前記第２の材料が、前記フロントフェースの一部を形成し、前記第２の材料が制振材料であり、
　前記第１の材料が第１の密度を有し、前記第２の材料が第２の密度を有し、前記第１の密度が前記第２の密度より大きい、
　ゴルフクラブヘッド。」
　　　
（２）引用文献に記載の事項  
　ア　原査定の拒絶の理由に引用され本願の優先日前に頒布された刊行物である特開平７−２１３６５６号公報（以下「引用文献」という。）には、図とともに以下の事項が記載されている。  
　                                　
（ア）「【請求項１】  アドレスしたときに地面とほぼ平行な面内で
ヒール
トウ
ソール
インパクト面
バックフェース
ヘッドの周縁部の少なくとも一部分に比重の軽い衝撃吸収材を装着
【請求項２】  前記
周縁部の上部に衝撃吸収材を装着
  　
（イ）「【０００３】
今までのキャビティバックタイプのヘッドは、同一素材、例えば軟鉄を鍛造して作られたもの、ステンレスをロストワックス製法で鋳造して作られたものなどであったが、数年前のルール改正によりカーボン，樹脂，金属あるいは異種金属などを複合させたコンポジットクラブが作られるようになった。例えば、ヘッドの周縁部を比重の重いベリリウムカッパーで作り、中央開口部に比重の軽いチタニウムで作られたフェース材を嵌合させたキャビティバックタイプのヘッドが開発された
【０００４】
【発明が解決しようとする課題】従来のキャビティバックタイプのヘッドではインパクト面の中央部の厚みが薄く、特にチタニウムのフェース材ではさらに肉厚が薄くなり、インパクト時のフィーリングが悪くなるものであった。
図５に示すヘッドの各位置（各測定点１〜２７）におけるインパクト時の振幅（mm／Ｎ）をモーダル解析した
【０００５】そこで、この発明は、インパクト面の肉厚が薄いキャビティバックタイプのヘッドにおけるインパクト時のフィーリングを向上させたアイアン系ゴルフクラブヘッドを提供することを目的とするものである。」　
  　
（ウ）「【０００７】
【作用】従来のキャビティバックタイプのヘッドは、図４のグラフ中符号Ａで示すように、ヘッドのインパクト面の中心（測定点４）よりも周縁部においてインパクト時の振幅が大きい。そのため、インパクト面中心の裏側に衝撃吸収材を装着したものもある（商品名クリーブランド＜ 792ＶＡＳ＞アイアン）が、図４のグラフからは振幅を抑えるべき位置はインパクト面中心（スィートエリア）ではなく、その周縁部であることが判明した。
特に周縁部の上部（図５において９，14，15，16，17，22の位置）がインパクト時に最も振動するので、この部分に衝
     　
（エ）「【０００９】図１に示す第１実施例では、シャフト３０の下端部に連接されたホーゼル３１を有し、このホーゼル３１の下端部には、アドレスしたときに地面Ｇとほぼ平行な面内で
ヒール３２
トウ３３
ソール３４
インパクト面３５
バックフェース３６
ヘッド
ソール３４の前縁３４Ａはリーディングエッジと呼ばれ、後縁３４Ｂはトレーリングエッジと呼ばれる。さらにインパクト面３５の上部トップラインの縁はトップエッジ４１と呼ばれる
【００１０】図１および図２に示す第１実施例では、トップエッジ４１側のリブ３８に衝撃吸収材４０を埋設したが、ヒール３２側のリブ３８やトウ３３側のリブ３８やソール３４側のリブ３８にも衝撃吸収材４０を装着ないし埋設することも可能である。さらに、インパクト面３５のスィートエリアの周り、すなわち図１においてはリブ３８に隣接するインパクト面３５のバックフェース３６の周縁部の少なくとも一部分に衝撃吸収材４０を装着ないし埋設してもよい。リブ３８の個所とともにリブ３８に隣接するインパクト面３５の裏側に装着ないし埋設することもできる。ここでいう周縁部は図５における符号４で示すエリアを除く部分にほぼ相当する。なお、図１においては衝撃吸収材４０が外部に露出しているが、この衝撃吸収材４０を隠すようにバックフェース３６を処理することが好ましい。」          　
　  　
（オ）「【００１１】ここで使用される比重の軽い衝撃吸収材４０としては、
高粘弾性ウレタンエラストマー
シリコンゲル
衝撃緩衝用のシリコンゲル
密度が０．０５〜０．９ｇ／ｃｍ
３
 、好ましくは０．１〜０．７ｇ／ｃｍ
３
である発泡材料
発泡材料としては、発泡ゴム又はウレタンスポンジ等が
   　
（カ）「【００１３】
図３に示す第２実施例は、ホーゼル３１とヘッド本体部４２とを比重の重い材料から形成し、ヘッド本体部４２に開口された開口部４３にフェース材４４を嵌合等の手段により取付けるアイアン系ゴルフクラブヘッドを示す
　　
（キ）「【００１６】図４に示すグラフおよび上記表から明らかなように、ヘッドの中心部すなわちインパクト面３５のスィートエリアを含む中央部の周りの周縁部に比重の軽い衝撃吸収材４０を装着ないし埋設した場合は振動を抑えることができ、
特に図５に示す９，14，15，16，17，22の位置に衝撃吸収材４０を装着ないし埋設した場合に効果が大きいことがわかる
【００１７】
【発明の効果】以上説明したように、この発明によれば、キャビティバックのアイアン系ゴルフクラブヘッドにおいて、ヘッドの周縁部の少なくとも一部分に比重の軽い衝撃吸収材を装着ないし埋設したので、インパクト面の裏面全体に衝撃吸収材を貼り付けるものに比べて材料が節減されるとともに振動を抑える効果は高い。また、比重の軽い衝撃吸収材であるために衝撃吸収材の装着ないし埋設によりヘッドの重心位置やクラブのバランスに悪影響を与えることもない。また、周縁部に衝撃吸収材を装着ないし埋設することによりインパクト時のフィーリングが向上し、キャビティアイアンの特性を損ねることもない。」　
　     　
（ク）「【図面の簡単な説明】
【図１】この発明の第１実施例を示すバックフェースから見た図。
【図２】
図１のＡ−Ａ線断面図
【図３】この発明の
第２実施例を示す一部断面の分解斜視図
【図４】ヘッドの各測定点におけるインパクト時の振幅を比較するグラフ。
【図５】ヘッドのモーダル解析時の測定点を示す図。」
    　
（ケ）上記（イ）の「【０００３】
今までのキャビティバックタイプのヘッドは、同一素材、例えば軟鉄を鍛造して作られたもの、ステンレスをロストワックス製法で鋳造して作られたもの
異種金属などを複合させたコンポジットクラブが作られるようになった。例えば、ヘッドの周縁部を比重の重いベリリウムカッパーで作り、中央開口部に比重の軽いチタニウムで作られたフェース材を嵌合させた
　そして、上記（エ）の「【０００９】
図１に示す第１実施例では
ヘッドを構成してある
図３に示す第２実施例は
フェース材４４を嵌合等の手段により取付ける
    　　
（コ）バックフェースから見た図１及び断面図である図２とから、インパクト面３５と、ソール３４と、バックフェース３６と、ヒール３２と、トウ３３と、上部トップラインの縁であるトップエッジ４１とを備え、衝撃吸収材４０を除き、同一素材（以下「第１の材料」という。）により形成されたヘッドが看取される。
　
（サ）上記（イ）の「図５に示すヘッドの
各位置（各測定点１〜２７）
周縁部の上部（図５において９，14，15，16，17，22の位置）
９，14，15，16，17，22の位置
　
（シ）上記記載から、引用文献には次の発明（以下「引用発明」という。）が記載されていると認められる。　　  
　 　  
「アイアン系ゴルフクラブヘッドであって、
　第１の材料で形成され、インパクト面と、ソールと、バックフェースと、ヒールと、トウと、上部トップラインの縁であるトップエッジとを備えるヘッドと、
　密度が０．０５〜０．９ｇ／ｃｍ３である発泡ゴム又はウレタンスポンジ等の比重の軽い衝撃吸収材とを有し、
　上部トップラインの縁であるトップエッジに衝撃吸収材を装着した、
　アイアン系ゴルフクラブヘッド。」
　　
（３）対比  
　本件補正発明と引用発明とを対比する。  
　ア　引用発明の「アイアン系ゴルフクラブヘッド」は本件補正発明の「ゴルフクラブヘッド」に相当し、同様に、
「第１の材料」は「第１の材料」に
「発泡ゴム又はウレタンスポンジ」は「第２の材料」に、
「インパクト面」は「フロントフェース」に、
「ソール」は「ソール」に、
「バックフェース」は「バック」に、
「ヒール」は「ヒール」に、
「トウ」は「トウ」に、
「ヘッド」は「本体」に、
「上部トップラインの縁であるトップエッジ」は「トップライン」に、
「衝撃吸収材」は「インサート」及び「制振材料」に、
「装着」は「連結」に、それぞれ、相当する。
　
　イ　上記アより、引用発明の「アイアン系ゴルフクラブヘッドであって、
　第１の材料で形成され、インパクト面と、ソールと、バックフェースと、ヒールと、トウと、上部トップラインの縁であるトップエッジとを備えるヘッド」は本件補正発明の「ゴルフクラブヘッドであって、
　第１の材料で形成され、フロントフェースと、ソールと、バックと、ヒールと、トウと、トップとを備える本体」に相当する。
      　
　ウ　引用発明の「発泡ゴム又はウレタンスポンジ」の比重が「第１の材料」の比重よりも小さいことは、当業者にとって明らかである。
　　　　　　 　 
　エ　上記ウより、
引用発明の
　上部トップラインの縁であるトップエッジに衝撃吸収材を装着した」と、
　
本件補正発明の
　前記凸部は前記クラブヘッドのトップラインの中央に配置されており、
　前記凸部に連結された、第２の材料で形成されたインサートとを有し、
　前記第２の材料が、前記フロントフェースの一部を形成し、前記第２の材料が制振材料であり、
　前記第１の材料が第１の密度を有し、前記第２の材料が第２の密度を有し、前記第１の密度が前記第２の密度より大きい」とは、
「
クラブヘッドのトップに取り付けられた、第２の材料で形成されたインサートとを有し、
　
前記第２の材料が制振材料であり、
　
前記第１の材料が第１の密度を有し、前記第２の材料が第２の密度を有し、前記第１の密度が前記第２の密度より大きい
  　
　オ　してみると、本件補正発明と引用発明とは以下の点で一致する。 　 
　＜一致点＞  
「ゴルフクラブヘッドであって、
　第１の材料で形成され、フロントフェースと、ソールと、バックと、ヒールと、トウと、トップとを備える本体と、
　クラブヘッドの
トップに取り付けられた
　前記第２の材料が制振材料であり、
　前記第１の材料が第１の密度を有し、前記第２の材料が第２の密度を有し、前記第１の密度が前記第２の密度より大きい、
　ゴルフクラブヘッド。」        　
　 　　 　 
　カ　一方で、本件補正発明と引用発明とは、以下の点で相違する。  
　＜相違点＞
　本体及びインサートに関し 
　本体に関し本件補正発明では「前記トップに設けられた、前記本体から遠ざかるように延びる凸部と、を有し、前記凸部は前記クラブヘッドのトップラインの中央に配置されており」と特定され、さらに、インサートに関し本件発明では「前記凸部に連結された」ものであり、かつ「前記フロントフェースの一部を形成し」と特定されるものであるのに対して、引用発明ではこれらの特定を有してない点。
　　　　　
（４）判断  
　上記＜相違点＞について検討する。  
　ア　アイアン系ゴルフクラブヘッドのトップの位置にフロントフェースの一部を形成するようにヘッド本体と異なる部材を装着することは、本願の優先日前に周知である（例えば、特開２００１−１６１８７０号公報の【００２４】ないし【００２５】及び図７、特開平１１−２２６１５８号公報の図３（ｄ）、特開平８−５７０８８号公報の図６、特開平８−２４３７９号公報の図１１、特開平５−１６８７３２号公報の図１ないし４を参照。以下「周知技術１」という。）。
　
　イ　また、アイアン系ゴルフクラブヘッドにおいて、凸部又は凹部を利用して異なる部材を組み合わせることは、本願の優先日前に周知である（例えば、上記周知技術１であることを指摘するために例示した特開平１１−２２６１５８号公報の図３（ｄ）、特開平８−５７０８８号公報の図６、特開平８−２４３７９号公報の図１１及び特開平５−１６８７３２号公報の図１ないし４に加えて、特開平９−１７３５１３号公報の図２、特開平８−２５７１８１号公報の図３、特開平８−２０６２５８号公報の図５を参照。以下「周知技術２」という。）。
  　
　ウ　してみれば、引用発明において、ゴルフクラブヘッド（アイアン系ゴルフクラブヘッド）のトップ（上部トップラインの縁であるトップエッジ）の位置に凸部又は凹部を設け、インサート（衝撃吸収材）をフロントフェース（インパクト面）の一部を形成するように連結（装着）することは、当業者が上記周知技術１及び周知技術２に基づいて容易になし得たことであり、その際、凸部とするか又は凹部とするかは、当業者が適宜選択し得た設計的事項である。
　
　エ　上記ウにおいて凸部を選択してインサートを連結させた引用発明は、本体に関し「前記トップに設けられた、前記本体から遠ざかるように延びる凸部と、を有し、前記凸部は前記クラブヘッドのトップラインの中央に配置されており」との構成を備え、インサートに関し「前記凸部に連結された」及び「前記フロントフェースの一部を形成し」との構成を備えることになる。             　
　     　
　オ　以上のことから、引用発明において、上記＜相違点＞に係る本件補正発明の構成を採用することは、当業者が周知技術１及び周知技術２に基づいて容易になし得たことである。　 
　　　　　　　　　　  
　また、本件補正発明の奏する効果も、引用発明、周知技術１及び周知技術２から当業者が予測し得る範囲内のものである。　　  
　　　　　　　　　　  
（５）独立特許要件についてのまとめ 　 
　本件補正発明は、当業者が引用発明、周知技術１及び周知技術２に基づいて容易に発明をすることができたものであるから、特許法第２９条第２項の規定により特許出願の際独立して特許を受けることができないものである。 
　　　　　　　　　　　　　　　 　 
４　補正却下の決定のむすび  
　上記「３」のとおり、本件補正発明は特許法第２９条第２項の規定により、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反する。  
　したがって、本件補正は、同法第１５９条第１項で読み替えて準用する同法第５３条第１項の規定により却下すべきものである。  
　　　　　　  
第３　本願発明  
１　本願発明  
　本件補正は上記のとおり却下されたため、本願の請求項１を引用する請求項５に係る発明（以下「本願発明」という。）は、前記「第２　１（１）」にて本件補正前の請求項５として記載したとおりのものである。  
　　　 　  
２　引用文献  
　原査定の拒絶の理由で引用された引用文献及びその記載事項は、前記「第２　３（２）」に記載したとおりである。  
　　　　　　　　　　  
３　対比・判断  
　本願発明は、前記「第２　３（３）」で検討した本件補正発明から凸部に関して「前記凸部は前記クラブヘッドのトップラインの中央に配置されており」との限定を省いたものに実質的に相当する。  
　そうすると、本願発明の構成要件を全て含み、さらに他の構成要件を付加したものに相当する本件補正発明が、当業者が引用発明、周知技術１及び周知技術２に基づいて容易に発明をすることができたものであるから、本願発明も同様の理由により、当業者が引用発明、周知技術１及び周知技術２に基づいて容易に発明をすることができたものである。  
　　　　 　  
４　むすび  
　以上のとおり、本願発明は、当業者が引用文献に記載された発明、周知技術１及び周知技術２に基づいて容易に発明をすることができたものであるから、特許法第２９条第２項の規定により特許を受けることができない。  
　よって、結論のとおり審決する。